(57)【要約】【課題】画像形成装置の主電源が遮断されているときであっても、画像形成装置から用紙カセットを引き出すことなく、用紙カセット内の状態を確認することが可能な画像形成装置を提供する。【解決手段】画像形成装置は、印刷ジョブで使用される用紙を収容する用紙カセットと、用紙カセットの外面に設置された電子ペーパーと、用紙カセットに収容されている用紙に関する用紙情報を認識し、用紙情報を電子ペーパーに表示させる制御部と、を備える。【選択図】図４
2019147257.tif 000002
【特許請求の範囲】
【請求項１】
画像形成装置に対して着脱可能であり、印刷ジョブで使用される用紙を収容する用紙カセットと、
前記用紙カセットの外面に設置された電子ペーパーと、
前記用紙カセットに収容されている用紙に関する用紙情報を認識し、前記用紙情報を前記電子ペーパーに表示させる制御部と、を備えることを特徴とする画像形成装置。
【請求項２】
前記制御部は、予め定められた更新タイミングになるごとに、前記用紙情報を認識し、最新の認識結果に基づき、前記電子ペーパーに表示させている前記用紙情報を更新することを特徴とする請求項１に記載の画像形成装置。
【請求項３】
前記制御部は、前記画像形成装置の主電源が投入されたとき、前記用紙情報の認識を行わないスリープモードから前記用紙情報の認識を行う通常モードに復帰したとき、前記画像形成装置に前記用紙カセットが装着されたとき、および、前記印刷ジョブが完了したとき、前記更新タイミングになったと判断することを特徴とする請求項２に記載の画像形成装置。
【請求項４】
前記制御部は、前記用紙情報として、前記用紙カセットに収容されている用紙サイズ、用紙種類および用紙残量を認識し、前記用紙サイズ、前記用紙種類および前記用紙残量を前記電子ペーパーに表示させ、前記更新タイミングになったとき、前記電子ペーパーに表示させている前記用紙サイズ、前記用紙種類および前記用紙残量のうち、最新の認識結果と異なる前記用紙情報のみを更新することを特徴とする請求項２または３に記載の画像形成装置。
【請求項５】
前記制御部は、前記印刷ジョブが完了したことによって前記更新タイミングになったと判断したとき、前記用紙情報として前記用紙残量の認識のみを行うことを特徴とする請求項４に記載の画像形成装置。
【請求項６】
前記用紙カセットの用紙を使用した前記印刷ジョブの実行回数および前記用紙カセットの用紙を使用した前記印刷ジョブの印刷枚数の少なくとも一方を示す履歴情報を記憶する記憶部を備え、
前記制御部は、前記用紙情報として、前記用紙カセットに収容されている用紙サイズ、用紙種類および用紙残量を認識し、前記用紙サイズ、前記用紙種類および前記用紙残量を前記電子ペーパーに表示させ、所定タイミングになったとき、前記履歴情報に基づき、直近の所定期間における前記用紙カセットの使用頻度を求め、前記使用頻度が予め定められた閾値よりも低い前記用紙カセットの前記電子ペーパーには、前記用紙残量を表示させず、前記用紙サイズおよび前記用紙種類の少なくとも一方を表示させることを特徴とする請求項１〜５のいずれか１項に記載の画像形成装置。
【請求項７】
前記制御部は、前記使用頻度が前記閾値以上の前記用紙カセットの前記電子ペーパーに表示させる前記用紙残量の刻み単位の設定値を現在の設定値よりも大きくすることを特徴とする請求項６に記載の画像形成装置。
【請求項８】
前記制御部は、前記用紙情報として少なくとも前記用紙カセットに収容されている用紙残量を認識し、前記用紙残量を前記電子ペーパーに表示させ、
前記電子ペーパーに表示させる前記用紙残量の刻み単位をユーザーから受け付ける操作パネルをさらに備え、
前記制御部は、前記電子ペーパーに表示させる前記用紙残量の刻み単位を前記操作パネルが受け付けた刻み単位に設定することを特徴とする請求項１〜７のいずれか１項に記載の画像形成装置。
【請求項９】
複数の前記用紙カセットを備え、
複数の前記用紙カセットのそれぞれに前記電子ペーパーが設置されており、
前記制御部は、前記用紙カセットごとに前記用紙情報を認識し、複数の前記用紙カセットの前記電子ペーパーのそれぞれに、対応する前記用紙カセットの前記用紙情報を表示させることを特徴とする請求項１〜８のいずれか１項に記載の画像形成装置。
【請求項１０】
前記制御部は、前記用紙情報として、前記用紙カセットに収容されている用紙サイズ、用紙種類および用紙残量を検知し、
前記制御部は、同一サイズおよび同一種類の用紙を収容する複数の前記用紙カセットを共通用紙カセットとして判別し、複数の前記共通用紙カセットのうち、１つの前記共通用紙カセットの前記電子ペーパーには、前記用紙サイズおよび前記用紙種類を表示させず、複数の前記共通用紙カセットの前記用紙残量の合計値を表示させ、他の前記共通用紙カセットの前記電子ペーパーには、前記用紙残量を表示させず、前記用紙サイズおよび前記用紙種類の少なくとも一方を表示させることを特徴とする請求項９に記載の画像形成装置。
【発明の詳細な説明】
【技術分野】
【０００１】
本発明は、印刷ジョブの実行が可能な画像形成装置に関する。
【背景技術】
【０００２】
画像形成装置は、印刷ジョブを実行するとき、印刷すべき画像を形成し、当該形成した画像を用紙に印刷する。このような画像形成装置には、印刷ジョブで使用される用紙を収容する用紙カセットが設けられる（たとえば、特許文献１参照）。
【先行技術文献】
【特許文献】
【０００３】
【特許文献１】特開２００２−２７８３７７号公報
【発明の概要】
【発明が解決しようとする課題】
【０００４】
特許文献１の画像形成装置は、操作パネルを備える。操作パネルには、用紙カセットに収容されている用紙のサイズや種類を表示することができる。これにより、画像形成装置から用紙カセットを引き出さなくても、ユーザーは用紙カセット内の状態（どのような用紙が収容されているかなど）を確認することができる。
【０００５】
ここで、ユーザーによっては、画像形成装置の主電源が遮断されているとき、用紙カセット内の状態を確認したい場合がある。しかし、このときには、操作パネルに表示を行わせることができない。したがって、用紙カセット内の状態を確認するには、画像形成装置から用紙カセットを引き出す必要がある。あるいは、画像形成装置の主電源を投入し、画像形成装置を起動させなければならない。これにより、ユーザーにとっては、煩わしく利便性が悪い。
【０００６】
本発明は、上記課題を解決するためになされたものであり、画像形成装置の主電源が遮断されているときであっても、画像形成装置から用紙カセットを引き出すことなく、用紙カセット内の状態を確認することが可能な画像形成装置を提供することを目的とする。
【課題を解決するための手段】
【０００７】
上記目的を達成するために、本発明の画像形成装置は、画像形成装置に対して着脱可能であり、印刷ジョブで使用される用紙を収容する用紙カセットと、用紙カセットの外面に設置された電子ペーパーと、用紙カセットに収容されている用紙に関する用紙情報を認識し、用紙情報を電子ペーパーに表示させる制御部と、を備える。
【０００８】
本発明の構成では、用紙カセットの外面に電子ペーパーが設置され、電子ペーパーに用紙情報が表示される。ここで、電子ペーパーは、画像形成装置の主電源が遮断されても（電力供給を受けなくても）、用紙情報の表示を続ける。したがって、画像形成装置の主電源が遮断されているとき、画像形成装置から用紙カセットを引き出さなくても、ユーザーは用紙カセット内の状態を確認することができる。これにより、ユーザーの利便性が向上する。
【発明の効果】
【０００９】
本発明の構成では、画像形成装置の主電源が遮断されているときであっても、画像形成装置から用紙カセットを引き出すことなく、用紙カセット内の状態を確認することができる。
【図面の簡単な説明】
【００１０】
【図１】本発明の一実施形態による画像形成装置の全体構成を示す概略図
【図２】本発明の一実施形態による画像形成装置の給紙部および用紙カセットの各構成を示す概略図
【図３】本発明の一実施形態による画像形成装置の全体構成を示すブロック図
【図４】本発明の一実施形態による画像形成装置に設置される電子ペーパーの設置位置を示す図
【図５】本発明の一実施形態による画像形成装置の電子ペーパーに用紙情報が表示されている状態の図
【図６】本発明の一実施形態による画像形成装置の電子ペーパーに用紙情報（残量情報）が表示されている状態の図
【図７】本発明の一実施形態による画像形成装置の電子ペーパーに表示されている用紙情報が更新された場合の図
【図８】本発明の一実施形態による画像形成装置の制御部が行う更新処理の流れを示すフローチャート
【図９】本発明の一実施形態による画像形成装置の複数の電子ペーパーのうち低使用頻度の用紙カセットの電子ペーパーが表示する用紙情報と高使用頻度の用紙カセットの電子ペーパーが表示する用紙情報とを示す図
【図１０】本発明の一実施形態による画像形成装置の複数の電子ペーパーのうち共通用紙カセットの電子ペーパーが表示する用紙情報を示す図
【発明を実施するための形態】
【００１１】
＜画像形成装置の構成＞
図１に示すように、本実施形態の画像形成装置１００は、画像読取部１を備える。画像読取部１は、図示しないが、原稿を光学的に読み取る読取ユニットを備える。読取ユニットは、光源やイメージセンサーなどを含む。画像読取部１は、原稿を読み取り、原稿の画像データを生成する。
【００１２】
また、画像形成装置１００は、印刷部２を備える。印刷部２は、コピージョブなど印刷を伴うジョブ（以下、印刷ジョブと称する）の実行時に、用紙Ｐを搬送するとともに、印刷すべき画像を形成し、搬送中の用紙Ｐに画像を印刷する。コピージョブでは、画像読取部１が読み取った原稿の画像データに基づく画像の用紙Ｐへの印刷が印刷部２により行われる。印刷ジョブで使用される用紙Ｐは用紙カセット２０に収容される。
【００１３】
印刷部２は、用紙搬送路２１（図１では、破線矢印で示す）を備えるとともに、用紙搬送路に沿って用紙Ｐを搬送するための搬送ローラー対（図示せず）を複数備える。また、印刷部２は、給紙部２２、画像形成部２３および定着部２４を備える。
【００１４】
給紙部２２は、図２に示すように、ピックアップローラー２２１および給紙ローラー対２２２を備える。ピックアップローラー２２１は、用紙カセット２０に収容された用紙Ｐに当接した状態で回転し、用紙カセット２０から用紙Ｐを引き出す。給紙ローラー対２２２は、用紙カセット２０から引き出された用紙Ｐを用紙搬送路２１に給紙する。用紙搬送路２１に給紙された用紙Ｐは用紙搬送路２１に沿って搬送される。
【００１５】
用紙カセット２０は、画像形成装置１００に対して着脱可能である。用紙カセット２０に用紙Ｐを収容する用紙収容作業（用紙カセット２０の用紙Ｐを入れ替える作業を含む）を行うとき、ユーザーは用紙カセット２０を画像形成装置１００から引き出す。そして、用紙収容作業が終わると、ユーザーは用紙カセット２０を画像形成装置１００に再度装着する。
【００１６】
用紙カセット２０には、リフト板２０１、押し上げ部材２０２および回転軸２０３が設けられる。リフト板２０１は、用紙カセット２０の底面側に配置される。このため、用紙カセット２０に用紙Ｐを収容すると、当該用紙Ｐはリフト板２０１上に載置された状態となる。
【００１７】
リフト板２０１は、給紙方向上流側の端部（当該端部に設けられた軸部）を支点とし、給紙方向下流側の端部を上下方向に振るよう回動する。すなわち、リフト板２０１は、上下方向に移動可能である。たとえば、リフト板２０１の給紙方向上流側の端部には、給紙方向と直交する方向に突出する軸部（図示せず）が設けられる。また、用紙カセット２０の壁面には軸穴部（図示せず）が設けられる。そして、リフト板２０１の軸部が用紙カセット２０の軸穴部に対して回動可能に支持される。
【００１８】
押し上げ部材２０２は、用紙カセット２０の底面とリフト板２０１との間（リフト板２０１の下方）に設けられる。回転軸２０３は、用紙カセット２０の底面に回転可能に支持される。回転軸２０３には、押し上げ部材２０２の給紙方向上流側の端部が取り付けられる。
【００１９】
これにより、回転軸２０３が回転することにより、押し上げ部材２０２の給紙方向下流側の端部が回動する。すなわち、押し上げ部材２０２は、上下方向に移動可能である。押し上げ部材２０２が上方向に移動すると、押し上げ部材２０２によってリフト板２０１が押し上げられるので、リフト板２０１が上昇する（上方向に回動する）。
【００２０】
画像形成装置１００から用紙カセット２０が引き出されると、リフト板２０１は初期位置（用紙カセット２０への用紙Ｐの収容が可能な位置）に移動する。画像形成装置１００に用紙カセット２０が装着されると、リフト板２０１は初期位置から上昇する。これにより、リフト板２０１上の最上層の用紙Ｐの上面がピックアップローラー２２１に当接する。リフト板２０１は、リフト板２０１上の用紙Ｐがピックアップローラー２２１に当接すると上昇を停止する。
【００２１】
印刷ジョブの実行時には、用紙カセット２０の用紙Ｐが使用されるので、リフト板２０１上の用紙Ｐが減っていく。リフト板２０１上の用紙Ｐが減り、リフト板２０１上の最上層の用紙Ｐの上面とピックアップローラー２２１とが非当接状態になると、用紙カセット２０の用紙Ｐが給紙されなくなる。このため、印刷ジョブの実行中、リフト板２０１は、上昇と上昇停止とを繰り返し、リフト板２０１上の最上層の用紙Ｐの上面とピックアップローラー２２１との当接状態を維持する。
【００２２】
リフト板２０１を上昇駆動させるため、給紙部２２には駆動機構が備えられる。駆動機構は、リフトモーターＲＭなどを含む。リフトモーターＲＭは、ギアやクラッチなどを介して回転軸２０３に連結される。リフトモーターＲＭが駆動することにより、リフト板２０１が上昇する。たとえば、画像形成装置１００から用紙カセット２０が引き出されるときに、回転軸２０３とリフトモーターＲＭとの連結が解除される。これにより、リフト板２０１が自重で初期位置に移動する。
【００２３】
また、リフト板２０１上の用紙Ｐのピックアップローラー２２１への当接を検知するため、給紙部２２には検知機構が備えられる。検知機構は、アクチュエーター２２３および上面センサーＳＳを含む。アクチュエーター２２３は、給紙方向下流側の端部に当接片２２３ａを有し、給紙方向上流側の端部に検知片２２３ｂを有する。なお、アクチュエーター２２３の当接片２２３ａは、ピックアップローラー２２１の近傍に配置される。上面センサーＳＳは、アクチュエーター２２３の検知片２２３ｂを検知対象とする光センサーであって、発光部および受光部を有する。
【００２４】
アクチュエーター２２３は、給紙方向の中央部よりも上流側寄りに配置された回転軸２２３ｃを支点として回動可能に取り付けられる。これにより、アクチュエーター２２３の当接片２２３ａおよび検知片２２３ｂが上下方向に回動する。また、アクチュエーター２２３の当接片２２３ａは、リフト板２０１上の用紙Ｐに当接可能な位置に配置され、アクチュエーター２２３の検知片２２３ｂは、上面センサーＳＳの検知領域（発光部と受光部との間）を遮蔽／開放することが可能な位置に配置される。
【００２５】
リフト板２０１上の最上層の用紙Ｐの上面が当接片２２３ａに当接し、そのままリフト板２０１が上方に移動すると、当接片２２３ａが上方に移動するので、検知片２２３ｂは下方に移動する（上面センサーＳＳの検知領域を開放する方向に移動する）。そして、リフト板２０１上の最上層の用紙Ｐの上面が給紙位置（ピックアップローラー２２１と当接する位置）に到達すると、上面センサーＳＳの検知領域よりも下方に検知片２２３ｂが移動する（上面センサーＳＳの検知領域が開放される）。この状態で、リフト板２０１上の最上層の用紙Ｐが給紙されることによって給紙位置から用紙Ｐが無くなると、当接片２２３ａが下方に移動するので、検知片２２３ｂが上方に移動する（上面センサーＳＳの検知領域が遮蔽される）。
【００２６】
これにより、給紙位置における用紙Ｐの有無に応じて、上面センサーＳＳの出力値が変化する。すなわち、上面センサーＳＳの出力値に基づき、リフト板２０１上の最上層の用紙Ｐの上面がピックアップローラー２２１に当接しているか否かを検知することができる。なお、上面センサーＳＳは、検知領域が開放されたとき（リフト板２０１上の用紙Ｐがピックアップローラー２２１に当接したとき）、第１レベルの値を出力する。一方で、上面センサーＳＳは、検知領域が遮蔽されたとき（リフト板２０１上の用紙Ｐのピックアップローラー２２１への当接が解除されたとき）、第２レベルの値を出力する。
【００２７】
また、用紙カセット２０には、用紙カセット２０に収容された用紙Ｐの側面に当接する規制ガイド２０４が設けられる。規制ガイド２０４は、用紙カセット２０内における用紙Ｐの給紙方向および幅方向（給紙方向と直交する方向）の各位置を位置決めするための部材である。規制ガイド２０４は、リフト板２０１にスライド可能に支持される。
【００２８】
規制ガイド２０４は、給紙方向にスライド可能な第１カーソルおよび幅方向にスライド可能な第２カーソルを含む。第１カーソルを給紙方向にスライドさせることにより、用紙カセット２０に収容可能な用紙Ｐの給紙方向のサイズ（給紙方向の用紙長さ）を変更することができる。第２カーソルを幅方向にスライドさせることにより、用紙カセット２０に収容可能な用紙Ｐの幅方向のサイズ（幅方向の用紙長さ）を変更することができる。
【００２９】
図１に戻り、画像形成装置１００には複数の用紙カセット２０を装着することが可能である。図１には、複数（３つ）の用紙カセット２０が装着された画像形成装置１００を図示する。画像形成装置１００に複数の用紙カセット２０が装着される場合には、複数の用紙カセット２０のそれぞれに給紙部２２が割り当てられる。以下、上段の用紙カセット２０に符号２０Ａを付し、中段の用紙カセット２０に符号２０Ｂを付し、下段の用紙カセット２０に符号２０Ｃを付して説明する場合がある。
【００３０】
画像形成部２３は、感光体ドラム２３１および転写ローラー２３２を備える。また、画像形成部２３は、図示しないが、感光体ドラム２３１の周面を帯電させる帯電装置、感光体ドラム２３１の周面上に静電潜像を形成する露光装置、および、感光体ドラム２３１の周面上の静電潜像をトナー像に現像する現像装置などを備える。感光体ドラム２３１および転写ローラー２３２は、互いに圧接し、転写ニップを形成する。画像形成部２３は、転写ニップを用紙Ｐが通過するとき、感光体ドラム２３１の周面上のトナー像を用紙Ｐに転写する。
【００３１】
定着部２４は、加熱ローラー２４１および加圧ローラー２４２を備える。加熱ローラー２４１は、ヒーターを内蔵する。加圧ローラー２４２は、加熱ローラー２４１に圧接し、加熱ローラー２４１との間で定着ニップを形成する。定着部２４は、定着ニップを通過する用紙Ｐを加熱および加圧することにより、用紙Ｐにトナー像を定着させる。
【００３２】
また、図３に示すように、画像形成装置１００は、制御部３を備える。制御部３は、ＣＰＵ３１およびメモリー３２（ＲＯＭおよびＲＡＭ）を含む。ＣＰＵ３１は、制御用のプログラムおよびデータに基づき動作し、画像形成装置１００の各部を制御するための処理を行う。メモリー３２は、ＣＰＵ３１を動作させるための制御用のプログラムおよびデータを記憶する。
【００３３】
画像読取部１および印刷部２は、制御部３に接続される。制御部３は、画像読取部１の制御を行うとともに、印刷部２の制御（給紙部２２の制御を含む）を行う。
【００３４】
制御部３は、給紙部２２を制御する処理として、リフトモーターＲＭを用いてリフト板２０１を上昇させるリフトアップ処理を行うとともに、上面センサーＳＳを用いてリフト板２０１上の用紙Ｐのピックアップローラー２２１への当接を検知する上面検知処理を行う。制御部３は、リフトアップ処理を行うため、リフトモーターＲＭを制御する。また、制御部３は、上面検知処理を行うため、上面センサーＳＳの出力値を検知する。
【００３５】
制御部３は、画像形成装置１００に用紙カセット２０が装着されたとき、リフト板２０１を上昇させる。なお、画像形成装置１００にはカセットセンサーＣＳが設けられる。カセットセンサーＣＳは、画像形成装置１００に用紙カセット２０が装着されているときと装着されていないときとで出力値を変化させるセンサーである。すなわち、カセットセンサーＣＳは、画像形成装置１００に用紙カセット２０が装着されたとき、出力値を変化させる。制御部３は、カセットセンサーＣＳの出力値に基づき、画像形成装置１００に用紙カセットＣＳが装着されたか否かを判断する。
【００３６】
制御部３は、画像形成装置１００に用紙カセット２０が装着されたと判断したとき、リフトアップ処理および上面検知処理を行う。具体的には、制御部３は、リフトモーターＲＭを制御し、上面センサーＳＳの出力値が第２レベルから第１レベルに変化するまで、リフト板２０１を上昇させる。そして、制御部３は、上面センサーＳＳの出力値が第１レベルに変化すると、リフト板２０１の上昇を停止させる。これにより、画像形成装置１００に用紙カセット２０が装着されると、リフト板２０１上の最上層の用紙Ｐの上面がピックアップローラー２２１に当接した状態となる。
【００３７】
それ以降、印刷ジョブが実行されると、制御部３は、上面センサーＳＳの出力値を監視する。そして、制御部３は、上面センサーＳＳの出力値が第１レベルから第２レベルに変化したことを検知すると、上面センサーＳＳの出力値が第１レベルに変化するまで、リフト板２０１を再度上昇させる。その後、印刷ジョブが完了すると、制御部３は、リフト板２０１の上下方向の位置を印刷ジョブの完了時点の位置に保持する。
【００３８】
また、制御部３は、用紙カセット２０に収容されている用紙Ｐのサイズ、用紙カセット２０に収容されている用紙Ｐの種類、および、用紙カセット２０に収容されている用紙Ｐの残量を検知する。
【００３９】
ここで、画像形成装置１００には、用紙カセット２０に収容されている用紙Ｐのサイズを検知するための検知部としてサイズセンサーＳＥ１が設けられる。サイズセンサーＳＥ１は、規制ガイド２０４の位置（第１カーソルの給紙方向の位置および第２カーソルの幅方向の位置）に応じで出力値を変化させる。すなわち、サイズセンサーＳＥ１は、用紙カセット２０に収容されている用紙Ｐのサイズに応じた値を出力する。
【００４０】
サイズセンサーＳＥ１は、制御部３に接続される。制御部３は、サイズセンサーＳＥ１の出力値に基づき、用紙カセット２０に収容されている用紙Ｐのサイズを検知するサイズ検知処理を行う。画像形成装置１００に複数の用紙カセット２０が装着される場合、制御部３は、複数の用紙カセット２０のそれぞれについてサイズ検知処理を行う。
【００４１】
また、画像形成装置１００には、用紙カセット２０に収容されている用紙Ｐの種類を検知するための検知部としてメディアセンサーＳＥ２が設けられる。メディアセンサーＳＥ２は、用紙カセット２０の用紙Ｐと対面する位置に配置される。たとえば、メディアセンサーＳＥ２は、検知対象の用紙Ｐの紙質（紙厚や表面粗さなど）に応じて出力値を変化させるセンサーである。メディアセンサーＳＥ２としては、検知対象の用紙Ｐに光を照射し、光を照射したときの反射率（あるいは、透過率）や反射光の波長などに応じた値を出力するセンサーを用いることができる。
【００４２】
メディアセンサーＳＥ２は、制御部３に接続される。制御部３は、メディアセンサーＳＥ２の出力値に基づき、用紙カセット２０に収容されている用紙Ｐの種類を検知する種類検知処理を行う。画像形成装置１００に複数の用紙カセット２０が装着される場合、制御部３は、複数の用紙カセット２０のそれぞれについて種類検知処理を行う。
【００４３】
なお、メディアセンサーＳＥ２の種類は特に限定されない。たとえば、撮像素子や制御用ＩＣなどを含むセンサーをメディアセンサーＳＥ２として用いることもできる。このようなメディアセンサーＳＥ２を用いる場合、制御部３は、用紙カセット２０の用紙Ｐの撮像をメディアセンサーＳＥ２に行わせ、それによって得られた撮像データをメディアセンサーＳＥ２から取得する。そして、制御部３は、撮像データに基づき、用紙カセット２０に収容されている用紙Ｐの種類を検知する。
【００４４】
また、画像形成装置１００には、用紙カセット２０に収容されている用紙Ｐの残量を検知するための検知部として残量センサーＳＥ３が設けられる。残量センサーＳＥ３は、リフト板２０１の傾斜角度（用紙カセット２０の底面に対する角度）に応じて出力値を変化させる。なお、印刷ジョブが実行されると、用紙カセット２０の用紙Ｐが減り、その分だけリフト板２０１が上昇する。したがって、用紙カセット２０の用紙Ｐの減りが大きいほど（用紙カセット２０に収容されている用紙Ｐの残量が少ないほど）、リフト板２０１の傾斜角度が大きくなる。これにより、残量センサーＳＥ３は、用紙カセット２０に収容されている用紙Ｐの残量に応じた値を出力する。
【００４５】
残量センサーＳＥ３は、制御部３に接続される。制御部３は、残量センサーＳＥ３の出力値に基づき、用紙カセット２０に収容されている用紙Ｐの残量を検知する残量検知処理を行う。画像形成装置１００に複数の用紙カセット２０が装着される場合、制御部３は、複数の用紙カセット２０のそれぞれについて残量検知処理を行う。
【００４６】
なお、リフト板２０１の初期位置からの上昇量（画像形成装置１００に用紙カセット２０が装着されてからの上昇量）は、用紙カセット２０の用紙Ｐの減りが大きいほど大きくなる。したがって、制御部３による残量検知処理がリフト板２０１の初期位置からの上昇量に基づき行われてもよい。
【００４７】
また、画像形成装置１００は、記憶部４を備える。記憶部４は、ＲＯＭやＨＤＤなどの不揮発性の記憶デバイスである。記憶部４は、制御部３に接続される。制御部３は、記憶部４への情報の書き込みを行うとともに、記憶部４からの情報の読み出しを行う。
【００４８】
また、画像形成装置１００は、操作パネル５を備える。操作パネル５には、タッチスクリーンおよびハードウェアボタンが設けられる。タッチスクリーンは、タッチパネルおよびバックライト付きの表示パネルを含む。操作パネル５は、設定画面を表示し、種々の設定をユーザーから受け付ける。操作パネル５は、制御部３に接続される。制御部３は、操作パネル５の表示動作を制御するとともに、操作パネル５に対して行われた操作を検知する。
【００４９】
また、画像形成装置１００は、商用電源と接続される電源部６を備える。電源部６は、電圧を生成する電源回路などを含む。電源部６は、画像読取部１、印刷部２、制御部３、記憶部４および操作パネル５など画像形成装置１００の各部に電力を供給し当該各部を動作させる。すなわち、画像読取部１、印刷部２、制御部３、記憶部４および操作パネル５は、電源部６から電力供給を受けて動作する被電力供給部である。
【００５０】
なお、画像形成装置１００には、画像形成装置１００の主電源の投入と遮断とを行うための電源スイッチＳＷが設けられる。たとえば、電源スイッチＳＷは、操作パネル５に配置される。ユーザーが電源スイッチＳＷを操作して主電源を投入すると、画像形成装置１００の各部への電力供給を電源部６が開始する。
【００５１】
電源部６は、通常モードおよびスリープモード（省電力モード）のいずれかの電力供給モードで被電力供給部に対して電力供給を行う。通常モード時には、電源部６が被電力供給部に対して通常の電力供給を行う。スリープモード時には、電源部６から被電力供給部に対して供給される電力が通常モード時よりも抑制される。
【００５２】
制御部３は、電力供給モードが通常モードのとき、通常モードからスリープモードに移行する条件として予め定められた移行条件が満たされたか否かを判断する移行判断処理を行う。移行条件が満たされたと判断したとき、制御部３は、電源部６に指示し、電力供給モードを通常モードからスリープモードに移行させる。
【００５３】
たとえば、制御部３は、電力供給モードが通常モードのとき、画像形成装置１００が使用されないまま経過した時間である未使用時間を計測し、未使用時間が予め定められた上限時間を超えたか否かを判断する処理を移行判断処理として行う。制御部３は、未使用時間が上限時間を超えたとき、移行条件が満たされたと判断する。
【００５４】
電力供給モードがスリープモードのとき、電源部６は、画像読取部１、印刷部２および記憶部４に対する電力供給を停止する。
【００５５】
また、電力供給モードがスリープモードのとき、電源部６は、制御部３に対して供給する電力を通常モード時よりも抑制する（制御部３に対する電力供給を完全には停止しない）。制御部３は、電力供給モードがスリープモードのとき、演算処理などは行わず、ＣＰＵ３１の一部の端子（割り込みポート）に入力された信号だけを取り込むスリープ状態となる。なお、制御部３は、スリープ状態になると、後述する表示処理（用紙情報を認識する処理を含む）を行わない。当該表示処理は制御部３が通常状態（演算処理を行うことが可能な状態）になっているときにだけ行われる。
【００５６】
また、電力供給モードがスリープモードのとき、電源部６は、操作パネル５に対して供給する電力を通常モード時よりも抑制する（操作パネル５に対する電力供給を完全には停止しない）。具体的には、電源部６は、操作パネル５のタッチパネルに対する電力供給は停止せず、表示パネル（バックライト）に対する電力供給を停止する。これにより、スリープモード時には、操作パネル５は画面を表示しない。このとき、操作パネル５は、タッチスクリーンやハードウェアボタンに対して操作が行われると、復帰信号を出力する。復帰信号は制御部３のＣＰＵ３１（割り込みポート）に入力される。
【００５７】
制御部３は、ＣＰＵ３１の割り込みポートに復帰信号が入力されると、スリープ状態から通常状態に復帰する。そして、制御部３は、電源部６に復帰指示を与え、電力供給モードをスリープモードから通常モードに復帰させる。電源部６は、復帰指示を受けると、画像読取部１、印刷部２、制御部３、記憶部４および操作パネル５の全てに対して通常の電力供給を行う。これにより、画像形成装置１００がレディ状態（ジョブの実行が可能な状態）に復帰する。
【００５８】
＜電子ペーパーへの用紙情報の表示＞
図４に示すように、用紙カセット２０の外面（画像形成装置１００の正面）には、電子ペーパー７が設置される。画像形成装置１００に複数の用紙カセット２０が装着される場合には、複数の用紙カセット２０の各外面に１つずつ電子ペーパー７が設置される。
【００５９】
なお、電子ペーパー７の表示方式は特に限定されない。電子ペーパー７に電圧を印加しなくても、電子ペーパー７の表示を長期間にわたって維持できればよい。たとえば、電子ペーパー７の表示方式は電気泳動方式である。
【００６０】
電子ペーパー７は、制御部３に接続される（図３参照）。制御部７は、電子ペーパー７に表示させる表示用の情報として用紙カセット２０に収容されている用紙Ｐに関する用紙情報を認識し、当該認識した表示用の用紙情報を電子ペーパー７に表示させる表示処理（電子ペーパー７に電圧を印加する処理）を行う。制御部３からの印加電圧により、電子ペーパー７には用紙情報が表示される。
【００６１】
なお、電子ペーパー７に用紙情報が表示されると、以降は電子ペーパー７に電圧を印加しなくても、当該用紙情報は長期間にわたって電子ペーパー７に表示され続ける（当該用紙情報の表示を維持することができる）。電子ペーパー７に表示されている用紙情報を更新する場合には、電子ペーパー７に対する電圧印加を再度行えばよい。
【００６２】
制御部３は、表示用の用紙情報として、用紙カセット２０に現在収容されている用紙Ｐのサイズ（以下、表示用の用紙サイズと称する場合がる）を認識する。制御部３は、表示用の用紙サイズを認識するため、サイズ検知処理を行い、サイズ検知処理で検知したサイズを表示用の用紙サイズとして認識する。複数の用紙カセット２０が装着されている場合（各用紙カセット２０に電子ペーパー７が設置されている場合）、制御部３は、用紙カセット２０ごとに表示用の用紙サイズを認識する。
【００６３】
また、制御部３は、表示用の用紙情報として、用紙カセット２０に現在収容されている用紙Ｐの種類（以下、表示用の用紙種類と称する場合がある）を認識する。制御部３は、表示用の用紙種類を認識するため、種類検知処理を行い、種類検知処理で検知した種類を表示用の用紙種類として認識する。複数の用紙カセット２０が装着されている場合（各用紙カセット２０に電子ペーパー７が設置されている場合）、制御部３は、用紙カセット２０ごとに表示用の用紙種類を認識する。
【００６４】
また、制御部３は、表示用の用紙情報として、用紙カセット２０に現在収容されている用紙Ｐの残量（以下、表示用の用紙残量と称する場合がある）を認識する。制御部３は、表示用の用紙残量を認識するため、残量検知処理を行う。そして、制御部３は、用紙カセット２０に収容されている現在の用紙Ｐの残量として、満杯時の用紙Ｐの残量を１００％とした場合の比率（％）を求め、当該求めた比率である残量比率と対象刻み単位（後述する）とに基づき表示用の用紙残量を認識する。複数の用紙カセット２０が装着されている場合（各用紙カセット２０に電子ペーパー７が設置されている場合）、制御部３は、用紙カセット２０ごとに表示用の用紙残量を認識する。
【００６５】
ここで、操作パネル５は、電子ペーパー７に表示させる用紙残量の刻み単位をユーザーから受け付ける。そして、制御部３は、電子ペーパー７に表示させる用紙残量の刻み単位を操作パネル５が受け付けた刻み単位に設定する。このときに制御部３により設定された刻み単位が対象刻み単位である。たとえば、対象刻み単位が２０％である場合、電子ペーパー７には用紙残量が２０％刻みで表示される。
【００６６】
制御部３は、表示用の用紙残量を認識するとき、表示用の用紙残量を対象刻み単位でレベル分けする。一例として、対象刻み単位が２０％である場合には、用紙残量が２０％以下の第１レベル、２０％より大きく４０％以下の第２レベル、４０％より大きく６０％以下の第３レベル、６０％より大きく８０％以下の第４レベル、および、８０％より大きく１００％以下の第５レベルの５つに分けられる。
【００６７】
別の例として、対象刻み単位が２５％である場合には、第１レベル（２５％以下）、第２レベル（２５％より大きく５０％以下）、第３レベル（５０％より大きく７５％以下）、および、第４レベル（７５％より大きく１００％以下）の４つに分けられる。
【００６８】
そして、制御部３は、求めた残量比率が属する比率範囲（レベル）の上限値を表示用の用紙残量として認識する。たとえば、制御部３が求めた残量比率が６０％であったとする。この例において、対象刻み単位が２０％である場合、制御部３は、表示用の用紙残量が６０％であると認識する。一方で、対象刻み単位が２５％である場合、制御部３は、表示用の用紙残量が７５％であると認識する。
【００６９】
制御部３は、表示用の用紙情報を認識すると、当該認識した用紙情報を電子ペーパー７に表示させる。図５に一例を示す。図５には、用紙サイズが「Ａ３タテ」であり、用紙種類が「厚紙」であり、用紙残量が「８０％」であると制御部３が認識した場合に電子ペーパー７に表示される用紙情報を図示する。
【００７０】
画像形成装置１００に複数の用紙カセット２０が装着されている場合（各用紙カセット２０に電子ペーパー７が設置されている場合）、制御部３は、用紙カセット２０ごとに表示用の用紙情報を認識する。そして、制御部３は、複数の用紙カセット２０に設置された各電子ペーパー７のそれぞれについて、対応する用紙カセット２０の用紙情報を表示させる表示処理を行う（電子ペーパー７ごとに表示処理を行う）。
【００７１】
なお、電子ペーパー７に表示させる用紙情報の形態は特に限定されない。制御部３が認識した用紙情報に対応するテキストを電子ペーパー７に表示してもよいし、制御部３が認識した用紙情報に対応する図形（たとえば、マークやアイコン、インジケーターなど）を電子ペーパー７に表示してもよい。電子ペーパー７に表示させる用紙情報の形態は任意に設定可能であり、当該設定は操作パネル５がユーザーから受け付ける。たとえば、後述するが、電子ペーパー７に用紙残量だけを表示する場合がある。この場合、図６に示すように、電子ペーパー７にブロックＢを表示し、用紙残量をブロックＢの大きさ（高さ）で表してもよい。
【００７２】
また、制御部３は、予め定められた更新タイミングになったか否かを判断する。制御部３は、更新タイミングになるごとに、表示用の用紙情報を認識し、当該認識した最新の認識結果（今回認識した最新の用紙情報）に基づき、電子ペーパー７に表示させている用紙情報を更新する更新処理を行う。
【００７３】
画像形成装置１００に複数の用紙カセット２０が装着されている場合（各用紙カセット２０に電子ペーパー７が設置されている場合）、制御部３は、更新タイミングになったと判断したとき、用紙カセット２０ごとに表示用の用紙情報を認識する。そして、制御部３は、複数の用紙カセット２０に設置された各電子ペーパー７のそれぞれについて、対応する最新の認識結果に基づき更新処理を行う。
【００７４】
たとえば、画像形成装置１００の主電源が遮断されているときや、電力供給モードがスリープモードのとき、制御部３は表示用の用紙情報を認識する処理を行わない。しかし、このとき、用紙収容作業が行われる場合がある。このため、制御部３は、画像形成装置１００の主電源が投入されたとき、および、電力供給モードがスリープモードから通常モードに復帰したとき、表示用の用紙情報を認識し、当該認識した最新の認識結果に基づき更新処理を行う。すなわち、制御部３は、画像形成装置１００の主電源が導入されたとき、および、電力供給モードがスリープモードから通常モードに復帰したとき、更新タイミングになったと判断する。
【００７５】
また、画像形成装置１００から用紙カセット２０が引き出され、その後、画像形成装置１００に用紙カセット２０が装着された場合には、画像形成装置１００から用紙カセット２０が引き出されているときに用紙収容作業が行われた可能性が高い。このため、制御部３は、カセットセンサーＣＳの出力値に基づき画像形成装置１００から引き出されていた用紙カセット２０が画像形成装置１００に装着されたことを検知したとき、表示用の用紙情報を認識し、当該認識した最新の認識結果に基づき更新処理を行う。すなわち、制御部３は、画像形成装置１００に用紙カセット２０が装着されたとき、更新タイミングになったと判断する。
【００７６】
また、画像形成装置１００において印刷ジョブが実行されると、印刷ジョブで使用された用紙カセット２０の用紙残量が減少する。このため、制御部３は、画像形成装置１００において実行されている印刷ジョブが完了したとき、表示用の用紙情報を認識し、当該認識した最新の認識結果に基づき更新処理を行う。すなわち、制御部３は、画像形成装置１００において実行されている印刷ジョブが完了したとき、更新タイミングになったと判断する。
【００７７】
制御部３は、更新タイミングになったとき、すなわち、表示用の用紙情報を認識したとき、電子ペーパー７に現在表示させている用紙情報である用紙サイズ、用紙種類および用紙残量のうち、更新対象の用紙情報（最新の認識結果と異なる用紙情報）を判別する処理を行う。たとえば、或る用紙カセット２０（用紙カセット２０Ａとする）の電子ペーパー７に現在表示されている用紙サイズが「Ａ３タテ」であったとする。この例において、用紙カセット２０Ａについて表示用の用紙情報を制御部３が認識した結果、制御部３が今回認識した用紙カセット２０Ａの最新の用紙サイズが「Ａ４ヨコ」であった場合、用紙カセット２０Ａの電子ペーパー７に現在表示されている用紙情報のうち、更新対象の用紙情報（最新の認識結果と異なる用紙情報）として制御部３が判別するのは用紙サイズとなる。
【００７８】
そして、制御部３は、電子ペーパー７に現在表示させている用紙情報（用紙サイズ、用紙種類および用紙残量）のうち、更新対象の用紙情報（最新の認識結果と異なる用紙情報）のみを対象に更新処理を行う。すなわち、更新タイミングになっても、制御部３による更新処理が行われない場合がある。
【００７９】
たとえば、更新タイミングになったとき、或る用紙カセット２０（用紙カセット２０Ａとする）の電子ペーパー７が現在表示している用紙情報のうち、制御部３が更新対象として判別した用紙情報が用紙残量であったとする。一例として、用紙カセット２０Ａの電子ペーパー７に現在表示されている用紙残量が「８０％」であり、制御部３が今回認識した用紙カセット２０Ａの最新の用紙残量が「６０％」であったとする。また、用紙カセット２０Ａの電子ペーパー７が現在表示している用紙情報のうち、他の用紙情報は更新対象として判別されなかったとする。この場合、用紙カセット２０Ａの電子ペーパー７の表示内容は、図７の上図に示す状態から下図に示す状態に変化する（更新された用紙情報を破線で囲む）。
【００８０】
ここで、印刷ジョブの実行中に用紙収容作業が行われることはない。すなわち、印刷ジョブの開始前と完了後とでは、印刷ジョブで使用された用紙カセット２０に収容されている用紙Ｐのサイズや種類は変化しない。また、印刷ジョブで使用されなかった用紙カセット２０については、用紙Ｐのサイズ、種類および残量に変化は生じない。したがって、制御部３は、印刷ジョブが完了したことによって更新タイミングになったと判断したとき、印刷ジョブで使用されなかった用紙カセット２０については表示用の用紙情報を認識する処理は行わない（当該用紙カセット２０の電子ペーパー７の表示内容を更新しない）。一方で、制御部３は、印刷ジョブで使用された用紙カセット２０については表示用の用紙情報として用紙残量のみを認識し、当該認識した最新の認識結果に基づき更新処理を行う。印刷ジョブが完了したことによって更新タイミングになった場合においては、印刷ジョブで使用された用紙カセット２０の電子ペーパー７が現在表示している用紙情報のうち、用紙残量だけが更新対象となり得える（他の用紙情報は更新対象にはならない）。なお、最新の認識結果によっては更新処理が行われない場合もある。
【００８１】
以下に、図８に示すフローチャートを参照し、制御部３が行う更新処理の流れを説明する。図８に示すフローチャートは、更新タイミングになったと制御部３が判断したときにスタートする。
【００８２】
ステップＳ１において、制御部３は、表示用の用紙情報を認識する。ステップＳ２において、制御部３は、更新対象の用紙情報が存在するか否かを判断する。その結果、更新対象の用紙情報が存在すると制御部３が判断した場合には、ステップＳ３に移行する。ステップＳ３に移行すると、制御部３は、更新対象の用紙情報のみを更新する。
【００８３】
ステップＳ２において、更新対象の用紙情報が存在しないと制御部３が判断した場合には、本フローは終了する。この場合には、制御部３は更新処理を行はない。すなわち、電子ペーパー７に電圧を印加する必要はない。
【００８４】
本実施形態の構成では、上記のように、用紙カセット２０の外面に電子ペーパー７が設置され、電子ペーパー７に用紙情報が表示される。ここで、電子ペーパー７は、画像形成装置１００の主電源が遮断されても（電力供給を受けなくても）、用紙情報の表示を続ける。したがって、画像形成装置１００の主電源が遮断されているとき、画像形成装置１００から用紙カセット２０を引き出さなくても、ユーザーは用紙カセット２０内の状態を確認することができる。これにより、ユーザーの利便性が向上する。
【００８５】
また、本実施形態では、上記のように、制御部３は、予め定められた更新タイミングになるごとに、用紙情報を認識し、最新の認識結果に基づき、電子ペーパー７に表示させている用紙情報を更新する。これにより、用紙カセット２０内の状態が変化したにもかかわらず、変化前の状態を示す用紙情報が電子ペーパー７に表示され続けるという不都合を抑制することができる。
【００８６】
また、本実施形態では、上記のように、制御部３は、更新タイミングになったとき、電子ペーパー７に現在表示させている用紙サイズ、用紙種類および用紙残量のうち、最新の認識結果と異なる用紙情報のみを更新する。これにより、電子ペーパー７に表示されている用紙情報を更新するときの消費電力を削減することができる。
【００８７】
また、本実施形態では、制御部３は、電子ペーパー７に表示させる用紙残量の刻み単位を操作パネル５が受け付けた刻み単位に設定する。ここで、用紙残量の刻み単位が大きいほど、用紙残量の更新頻度が低くなる。したがって、電子ペーパー７の表示内容を更新するときの消費電力を抑制したい場合には、用紙残量の刻み単位が大きくなるよう設定しておけばよい。
【００８８】
なお、画像形成装置１００に複数の用紙カセット２０が装着される場合には、複数の用紙カセット２０のそれぞれに電子ペーパー７が設置される。これにより、用紙カセット２０ごとに用紙カセット２０内の状態を確認することができるので、ユーザーにとっては利便性が良い。
【００８９】
＜使用頻度に基づく表示＞
制御部３は、用紙カセット２０の使用頻度を求める。制御部３は、用紙カセット２０の使用頻度を求めるため、用紙カセット２０の用紙Ｐを使用した印刷ジョブの実行回数を示す実行回数情報および用紙カセット２０の用紙Ｐを使用した印刷ジョブの印刷枚数を示す印刷枚数情報の少なくとも一方を含む履歴情報を記憶部４に記憶させる。
【００９０】
また、制御部３は、用紙カセット２０の使用頻度を確認する確認タイミング（「所定タイミング」に相当）になったか否かを判断する。たとえば、制御部３は、操作パネル５がユーザーから所定操作を受け付けたとき、確認タイミングになったと判断する。なお、確認タイミングが更新タイミングと同じであってもよい。すなわち、更新タイミングになったときに、後述する使用頻度算出処理が制御部３により行われてもよい。
【００９１】
制御部３は、確認タイミングになったとき、履歴情報に基づき、直近の所定期間（たとえば、１ヶ月〜数ヶ月）における用紙カセット２０の使用頻度を求める使用頻度算出処理を行う。たとえば、実行回数情報を用いる場合、制御部３は、実行回数情報で示される印刷ジョブの実行回数を使用頻度とする。印刷枚数情報を用いる場合、制御部３は、印刷枚数情報で示される印刷ジョブの印刷枚数を使用頻度とする。なお、使用頻度の求め方は特に限定されない。印刷ジョブの実行回数や印刷ジョブの印刷枚数が多いほど使用頻度が高くなればよい。
【００９２】
用紙カセット２０の使用頻度を求めた後、制御部３は、使用頻度が予め定められた閾値よりも低いか否かを判断する。そして、制御部３は、使用頻度が閾値よりも低い用紙カセット２０を低使用頻度の用紙カセット２０と認識し、使用頻度が閾値以上の用紙カセット２０を高使用頻度の用紙カセット２０と認識する。
【００９３】
なお、画像形成装置１００に複数の用紙カセット２０が装着される場合、制御部３は、用紙カセット２０ごとに履歴情報を記憶部４に記憶させる。また、制御部３は、確認タイミングになったとき、用紙カセット２０ごとに使用頻度を求め、複数の用紙カセット２０のそれぞれについて、低使用頻度の用紙カセット２０であるか高使用頻度の用紙カセット２０であるかを認識する。
【００９４】
そして、制御部３は、低使用頻度の用紙カセット２０の電子ペーパー７には用紙残量を表示させず、用紙サイズおよび用紙種類の一方だけを表示させる（たとえば、用紙サイズだけが電子ペーパー７に表示される）。あるいは、用紙サイズおよび用紙種類の両方が低使用頻度の用紙カセット２０の電子ペーパー７に表示されてもよい。
【００９５】
たとえば、用紙カセット２０Ａの使用頻度が閾値よりも低かったとする。この場合、図９に示すように、制御部３は、用紙カセット２０Ａの電子ペーパー７には用紙サイズだけを表示させる（用紙カセット２０Ａの電子ペーパー７の表示内容が上図に示す状態から下図に示す状態に変化する）。
【００９６】
また、制御部３は、高使用頻度の用紙カセット２０の電子ペーパー７に表示させる用紙残量の刻み単位の設定値を現在の設定値よりも大きくする。ただし、制御部３は、高使用頻度の用紙カセット２０の電子ペーパー７に現在表示させている用紙残量の刻み単位が既に予め定められた上限値に達していれば、刻み単位の変更は行わない。また、たとえば、制御部３は、高使用頻度の用紙カセット２０の電子ペーパー７には用紙残量だけを表示させ、用紙サイズおよび用紙種類を表示させない（あるいは、用紙残量に加え、用紙サイズおよび用紙種類の一方だけを表示させる）。なお、用紙サイズ、用紙種類および用紙残量の全てを高使用頻度の用紙カセット２０の電子ペーパー７に表示させてもよい。
【００９７】
たとえば、用紙カセット２０Ｂの使用頻度が閾値以上であったとする。また、電子ペーパー７に表示させる用紙残量の刻み単位が２０％に設定されているとする。ここでは、残量比率が６０％であったため、用紙カセット２０Ｂの電子ペーパー７には「６０％」と表示されているとする（図９の上図参照）。この場合、制御部３は、用紙カセット２０Ｂの電子ペーパー７に表示させる用紙残量の刻み単位を２０％よりも大きくする（たとえば、２５％にする）。また、制御部３は、用紙カセット２０Ｂの電子ペーパー７には用紙残量だけを表示させる。これにより、用紙カセット２０Ｂの電子ペーパー７の表示内容は、図９上図に示す状態から図９下図に示す状態に変化する。
【００９８】
上記のように、低使用頻度の用紙カセット２０の電子ペーパー７に用紙残量を表示させないようにすることにより、低使用頻度の用紙カセット２０の電子ペーパー７の表示内容の更新回数が減少する。これにより、消費電力を抑制することができる。
【００９９】
また、高使用頻度の用紙カセット２０の電子ペーパー７に表示させる用紙残量の刻み単位を大きくすることにより、高使用頻度の用紙カセット２０が印刷ジョブで頻繁に使用されても、高使用頻度の用紙カセット２０の電子ペーパー７の表示内容の更新回数が減少する。これにより、消費電力を抑制することができる。
【０１００】
＜共通用紙カセットの電子ペーパー＞
以下、画像形成装置１００に複数の用紙カセット２０が装着されているものとして説明する。
【０１０１】
制御部３は、同一サイズおよび同一種類の用紙Ｐを収容する複数の用紙カセット２０を共通用紙カセット２０として判別するカセット判別処理を行う。共通用紙カセット２０が存在する場合、制御部３は、複数の共通用紙カセット２０の各電子ペーパー７の表示内容を変更する。たとえば、制御部３によるカセット判別処理は、更新タイミングになったときに行われてもよい。また、操作パネル５がユーザーから指示を受け付けたときに、制御部３によるカセット判別処理が行われてもよい。
【０１０２】
制御部３は、共通用紙カセット２０が存在する場合、複数の共通用紙カセット２０の用紙残量の合計値を求める。そして、制御部３は、複数の共通用紙カセット２０のうち、１つの共通用紙カセット２０の電子ペーパー７には、用紙サイズおよび用紙種類を表示させず、当該求めた合計値を表示させる。
【０１０３】
一方で、制御部３は、複数の共通用紙カセット２０のうち、他の共通用紙カセット２０の電子ペーパー７には、用紙残量を表示させず、用紙サイズおよび用紙種類の一方だけを表示させる（たとえば、用紙サイズだけが電子ペーパー７に表示される）。あるいは、用紙サイズおよび用紙種類の両方が他の共通用紙カセット２０の電子ペーパー７に表示されてもよい。
【０１０４】
たとえば、制御部３によるカセット判別処理の結果、用紙カセット２０Ｂおよび２０Ｃが共通用紙カセット２０として判別されたとする。ここでは、用紙カセット２０Ｂの用紙残量が６０％であり、用紙カセット２０Ｃの用紙残量が２０％であったとする。また、用紙カセット２０Ｂおよび２０Ｃの各用紙サイズが「Ａ４タテ」であり、用紙カセット２０Ｂおよび２０Ｃの各用紙種類が「普通紙」であったとする。
【０１０５】
この場合、制御部３は、用紙カセット２０Ｂおよび２０Ｃの各用紙残量の合計値を求める（合計値は８０％となる）。そして、制御部３は、用紙カセット２０Ｂおよび２０Ｃのうち、一方（ここでは、用紙カセット２０Ｂとする）の電子ペーパー７に合計値のみを表示させ、他方の電子ペーパー７に用紙サイズのみを表示させる。これにより、用紙カセット２０Ｂおよび２０Ｃの各電子ペーパー７の表示内容は、図１０上図に示す状態から図１０下図に示す状態に変化する。
【０１０６】
上記のように構成することによって、複数の共通用紙カセット２０の各電子ペーパー７のうち、用紙残量を表示していない電子ペーパー７の更新回数が減る（ほとんど更新されない）。これにより、消費電力をより抑制することができる。
【０１０７】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１０８】
３  制御部
４  記憶部
５  操作パネル
７  電子ペーパー
２０  用紙カセット
１００  画像形成装置
【図１】
2019147257.tif 000003
【図２】
2019147257.tif 000004
【図３】
2019147257.tif 000005
【図４】
2019147257.tif 000006
【図５】
2019147257.tif 000007
【図６】
2019147257.tif 000008
【図７】
2019147257.tif 000009
【図８】
2019147257.tif 000010
【図９】
2019147257.tif 000011
【図１０】
2019147257.tif 000012